(57)【特許請求の範囲】
【請求項１】
上横材と、下横材と、左右の縦材と、前記上横材と前記下横材との間で前記左右の縦材間に亘る中間横材と、を有し、少なくとも前記中間横材と前記下横材と前記左右の縦材との間にパネル体が設けられ、
前記中間横材と前記下横材との間に建物の居住空間と対向するビジョン部が形成され、前記上横材と前記中間横材との間に前記建物の上下階の境界部分と対向するスパンドレル部が形成されたカーテンウォールであって、
前記中間横材の室内側面には、前記居住空間の天井を形成する天井板と前記中間横材との間に連結され、前記天井板と共に前記居住空間の天井を形成する天井部材が連結されると共に、該天井部材には、前記パネル体より室内側で前記居住空間に配置される遮蔽手段の上端部を支持する支持部が取り付けられ、
前記中間横材には、前記居住空間と室外との間で空気を流通可能に連通させる連通孔が設けられると共に、該連通孔の室内側の通気口を前記支持部の室外側となる位置に連通させた換気ユニットが装着されており、
前記天井部材の天面は、前記天井板の天面よりも上方に位置しており、
前記支持部は、前記遮蔽手段の室内側と室外側との間で空気を流通可能に連通させる連結手段を介して前記天井部材の天面に対して取り付けられており、
前記天井部材は、前記支持部を収納する収納ボックスを構成し、
前記連通孔の室内側の通気口を、前記収納ボックス内に連通させたことを特徴とするカーテンウォール。
【請求項２】
請求項１に記載のカーテンウォールにおいて、
前記連通孔の室内側の通気口は、前記収納ボックスの室外側壁面に開口形成されていることを特徴とするカーテンウォール。
【請求項３】
請求項１又は２に記載のカーテンウォールにおいて、
前記連通孔は、前記中間横材の見込み方向幅の範囲内に収められ、該中間横材と一体に構成されていることを特徴とするカーテンウォール。
【発明の詳細な説明】
【技術分野】
【０００１】
本発明は、建物の外壁を構成するカーテンウォールに関する。
【背景技術】
【０００２】
従来より建物の外壁を構成するカーテンウォールに対し、その室内外で空気を流通させる換気ユニットを取り付けた構成が用いられている。例えば、本出願人は特許文献１において、カーテンウォールを構成する横材に設けた連通孔の室内側面に換気ユニットを連結し、この換気ユニットを天井裏に延びるダクトを介して居住空間の天井で開口させた構成を提案している。
【先行技術文献】
【特許文献】
【０００３】
【特許文献１】特開２０１５−７１９１９号公報
【発明の概要】
【発明が解決しようとする課題】
【０００４】
ところで、カーテンウォールを構成するガラス板等のパネル体の室内側には、ブラインド等の遮蔽手段が配設されることがある。このような遮蔽手段でパネル体を遮蔽した場合、日射の影響によってパネル体の室内側と遮蔽手段の室外側とで挟まれた空間の温度が大きく上昇することがある。勿論、例えば遮蔽手段であるブラインドを巻き上げた状態であっても日射の状況等によってはパネル体付近の室温が居住空間の奥側に比べて大きく上昇することがある。
【０００５】
このように窓際での室温が上昇した場合には、パネル体や遮蔽手段に沿った上昇気流が発生する。ところが、上記特許文献１の構成では、換気ユニットから延びたダクトを居住空間の天井に開口させているため、窓際で生じた熱気を室外へと円滑に排出することが難しい場合がある。特に、遮蔽手段でパネル体を遮蔽した状態では、遮蔽手段自体が障壁となって窓際に熱気が滞留してしまう可能性があった。
【０００６】
本発明は、上記従来技術の課題を考慮してなされたものであり、カーテンウォールで仕切られた室内空間の室温が上昇した場合でも十分な換気能力を確保することができる換気ユニットを装着したカーテンウォールを提供することを目的とする。
【課題を解決するための手段】
【０００７】
本発明に係るカーテンウォール用の換気ユニットは、上下の横材と左右の縦材の間にパネル体を設けたカーテンウォール用の換気ユニットであって、上側の横材の室内側面には、前記パネル体と対向する空間の天井を形成する天井部材が連結されると共に、該天井部材には、前記パネル体より室内側に配置される遮蔽手段の上端部を支持する支持部が取り付けられ、前記上側の横材には、前記カーテンウォールの室内外で空気を流通可能に連通させる連通孔が設けられると共に、該連通孔の室内側の通気口を前記支持部の室外側となる位置に連通させたことを特徴とする。
【０００８】
このような構成によれば、日射の影響等によってカーテンウォールの窓際での室温が上昇し、パネル体や遮蔽手段に沿った上昇気流が発生した場合であっても、この上昇気流による熱気は遮蔽手段の支持部の室外側となる位置に連通している連通口からカーテンウォールの室外側へと円滑に排気される。これにより、カーテンウォールで仕切られた室内空間の室温が上昇した場合でも十分な換気能力を確保することが可能となる。しかも、遮蔽手段の上端部を支持する支持部の室外側となる位置に連通孔の通気口を連通させているため、遮蔽手段でパネル体の室内側を完全に遮蔽した状態であっても、パネル体と遮蔽手段との間の空間や遮蔽手段自体に日射が当たることよって生じる熱気を通気口から室外へと円滑に排気することができる。
【０００９】
本発明に係るカーテンウォール用の換気ユニットにおいて、前記天井部材は、前記上側の横材の室内側面と前記天井の天井板との間に設けられ、その天面に前記支持部が取り付けられることで該支持部を収納する収納ボックスを構成し、前記連通孔の室内側の通気口を、前記収納ボックス内に連通させた構成としてもよい。そうすると、ブラインド等の遮蔽手段の上端部を収納支持する収納ボックス内に流入した熱気を室外へと円滑に排気することができ、収納ボックス内及びその周辺部に熱気が滞留することを防止できる。
【００１０】
本発明に係るカーテンウォール用の換気ユニットにおいて、前記連通孔の室内側の通気口は、前記収納ボックスの室外側壁面に開口形成された構成としてもよい。そうすると、連通孔と収納ボックスとの間にダクト等を連結する必要がなく、コストや設置作業の効率が向上する。
【００１１】
本発明に係るカーテンウォール用の換気ユニットにおいて、前記連通孔は、前記横材の見込み方向幅の範囲内に収められ、該横材と一体に構成された構成としてもよい。そうすると、工場等でのカーテンウォールのユニット組立作業と合わせて換気ユニットの組付作業も行うことができる。このため、施工現場ではカーテンウォールを設置するだけで換気ユニットも同時に設置することができ、コストや設置作業の効率が向上する。
【００１２】
本発明に係るカーテンウォールは、上記構成のカーテンウォール用の換気ユニットを装着したことを特徴とする。これにより、その室内外で十分な換気能力を確保することができる。
【００１３】
本発明に係るカーテンウォールにおいて、前記支持部は、前記遮蔽手段の室内側と室外側との間で空気を流通可能に連通させる連結手段を介して前記天井部材に対して取り付けられた構成であってもよい。そうすると、例えば建物の居住空間内の天井付近に滞留した熱気を遮蔽手段の上部から連結手段を介して連通孔の通気口へと円滑に流通させることができる。
【００１４】
本発明に係るカーテンウォールにおいて、前記左右の縦材間に亘る上横材及び下横材を有すると共に、前記上横材と前記下横材との間には左右の縦材間に亘る中間横材が設けられ、前記中間横材と前記下横材との間に建物の居住空間と対向するビジョン部が形成され、前記上横材と前記中間横材との間に前記建物の上下階の境界部分と対向するスパンドレル部が形成されており、前記天井部材を前記中間横材に連結し、前記連通孔を前記中間横材に設けた構成としてもよい。そうすると、居住空間で生じた熱気を連通孔から室外へと円滑に排出することができる。
【発明の効果】
【００１５】
本発明によれば、日射の影響等によってカーテンウォールの窓際での室温が上昇し、パネル体やブラインド等の遮蔽手段に沿った上昇気流が発生した場合であっても十分な換気能力を確保することが可能となる。
【図面の簡単な説明】
【００１６】
【図１】図１は、本発明の一実施形態に係るカーテンウォール用の換気ユニットを備えたカーテンウォールによって外壁を構成した建物を室外側から見た要部拡大正面図である。
【図２】図２は、図１に示す建物のカーテンウォール近傍での縦断面図である。
【図３】図３は、換気ユニットを設けた中間横材近傍での縦断面図である。
【図４】図４は、図３中のＩＶ−ＩＶに沿う模式断面図である。
【発明を実施するための形態】
【００１７】
以下、本発明に係るカーテンウォール用の換気ユニットについて、このユニットを装着したカーテンウォールを例示して好適な実施の形態を挙げ、添付の図面を参照しながら詳細に説明する。
【００１８】
図１は、本発明の一実施形態に係るカーテンウォール用の換気ユニット１０を備えたカーテンウォール１１によって外壁を構成した建物１２を室外側から見た要部拡大正面図であり、図２は、図１に示す建物１２のカーテンウォール１１近傍での縦断面図である。
【００１９】
図１及び図２に示すように、カーテンウォール１１は、枠体１４の内側にスパンドレル部１１ａとビジョン部１１ｂとを上下に並べたユニット構造であり、各ユニットを上下左右に並べて配置することでスパンドレル部１１ａとビジョン部１１ｂが上下方向に交互に配置される。
【００２０】
建物１２は、躯体１６に取り付けた床スラブ１８の上面側に床板１９を設けた床２０と、床スラブ１８の下面側に吊下げ支持された天井板２２とを有する。建物１２では、床スラブ１８の下面と天井板２２の上面との間が上下階の境界部分１２ａとなり、天井板２２の下面と床２０の上面との間が居住空間１２ｂとなる。
【００２１】
カーテンウォール１１は、スパンドレル部１１ａが境界部分１２ａと対向して該境界部分１２ａの外壁となり、ビジョン部１１ｂが居住空間１２ｂと対向して該居住空間１２ｂの外壁となる。
【００２２】
枠体１４は、上横材１４ａ、下横材１４ｂ及び左右の縦材１４ｃ，１４ｄを四周枠組みして構成され、上横材１４ａと下横材１４ｂとの間に左右の縦材１４ｃ，１４ｄに亘る無目材である中間横材１４ｅを設けた構成である。各材１４ａ〜１４ｅは、例えばアルミニウム等の金属の押出形材である。枠体１４は、ファスナー２４を用いて躯体１６に対して固定される。
【００２３】
カーテンウォール１１は、上横材１４ａと中間横材１４ｅと左右の縦材１４ｃ，１４ｄで囲まれた部分に室内側パネル２６及び室外側パネル２７を取り付けることでスパンドレル部１１ａが形成され、中間横材１４ｅと下横材１４ｂと左右の縦材１４ｃ，１４ｄで囲まれた部分に室内側ガラス２８ａ及び室外側ガラス２８ｂで構成した複層パネル（パネル体）２８を取り付けることでビジョン部１１ｂが形成されている。本実施形態の場合、室内側パネル２６を耐火性能を有したボード状のパネル材によって構成し、室外側パネル２７をフロートガラス板によって構成している。また、遮熱性及び断熱性を有する２枚のガラス板である室内側ガラス２８ａ及び室外側ガラス２８ｂをスペーサ部材を介して間隔をあけて配置することで複層パネル２８を構成している。
【００２４】
図２に示すように、上横材１４ａは、見込み面に室内側パネル２６の上縁部が配置される下向きの面材配置溝３０ａを室内側縁部に有し、見込み面に室外側パネル２７の上縁部が配置される下向きの面材配置溝３１ａを室外側縁部に有する。中間横材１４ｅは、見込み面に室内側パネル２６の下縁部が配置される上向きの面材配置溝３０ｂを室内側縁部に有し、見込み面に室外側パネル２７の下縁部が配置される上向きの面材配置溝３１ｂを室外側縁部に有する。図示はしないが、左右の縦材１４ｃ，１４ｄは、その室内側縁部に室内側パネル２６の側縁部が配置される面材配置溝をそれぞれ有し、その室外側縁部に室外側パネル２７の側縁部が配置される面材配置溝をそれぞれ有する。
【００２５】
中間横材１４ｅは、見込み面に複層パネル２８の上縁部が配置される下向きの面材配置溝３２ａを室外側縁部に有し、下横材１４ｂは、見込み面に複層パネル２８の下縁部が配置される上向きの面材配置溝３２ｂを室外側縁部に有する。図示はしないが、左右の縦材１４ｃ，１４ｄは、その室外側縁部に複層パネル２８の側縁部が配置される面材配置溝をそれぞれ有する。
【００２６】
カーテンウォール１１の隣接するユニット間は、上横材１４ａと下横材１４ｂとの間が室外側の１次シール３４，３４同士の圧着と、室内側の２次シール３５，３５同士の圧着によって止水され（図２参照）、縦材１４ｃと縦材１４ｄとの間も１次シール３４及び２次シール３５と同様な構造によって止水される。
【００２７】
このようなカーテンウォール１１では、中間横材１４ｅにその長手方向に亘って開口する換気ユニット１０を一体に設けている。換気ユニット１０は、カーテンウォール１１で仕切られた建物１２の室内外で空気を自然換気する自然換気装置である。換気ユニット１０は、室外側ではスパンドレル部１１ａとビジョン部１１ｂとの間で開口し、室内側では中間横材１４ｅと天井板２２との間に設けられたブラインド３６の収納ボックス３８内に開口している。
【００２８】
図３は、換気ユニット１０を設けた中間横材１４ｅ近傍での縦断面図であり、図４は、図３中のＩＶ−ＩＶに沿う模式断面図である。
【００２９】
図３に示すように、中間横材１４ｅは、スパンドレル部１１ａの室内側パネル２６及び室外側パネル２７を保持する面材配置溝３０ｂ，３１ｂをその上向き見込み面に有する上側部材４０と、ビジョン部１１ｂの複層パネル２８を保持する面材配置溝３２ａをその下向き見込み面に有する下側部材４１とで構成されている。
【００３０】
上側部材４０は、矩形中空形状で下向き略Ｌ字状に形成された基部４０ａと、基部４０ａの室外側に連結された略Ｌ字状の突出片部４０ｂとを有する。基部４０ａの上面の室内側縁部に面材配置溝３０ｂが設けられ、突出片部４０ｂの上面に面材配置溝３１ｂが設けられている。
【００３１】
下側部材４１は、矩形中空形状で略Ｌ字状に形成された基部４１ａと、基部４１ａの室外側に連結された下向き略Ｌ字状の突出片部４１ｂとを有する。突出片部４１ｂの下面に面材配置溝３２ａが設けられている。
【００３２】
上側部材４０と下側部材４１との間には、換気ユニット１０を設置するための間隙が設けられている。すなわち換気ユニット１０は、上側部材４０の基部４０ａの下面と、下側部材４１の基部４１ａの上面と、左右の縦材１４ｃ，１４ｄの見込み面とで囲まれた矩形の空間に収容されるように取り付けられている（図１も参照）。また、上側部材４０の突出片部４０ｂと下側部材４１の突出片部４１ｂとの間の間隙は、換気ユニット１０を外壁面に開口させる吸排気口４２を形成する。
【００３３】
換気ユニット１０は、中間横材１４ｅを構成する上側部材４０と下側部材４１との間に取り付けられたフレーム４４と、フレーム４４の内部を室内外方向に亘って貫通する連通孔４６と、連通孔４６の途中に揺動可能に設けられた定風量フラップ４８とを備える。
【００３４】
フレーム４４は、上側部材４０の基部４０ａの下面に連結固定された上側フレーム５０と、下側部材４１の基部４１ａの上面に連結固定された下側フレーム５１とを有し、これら上側フレーム５０と下側フレーム５１との間に連通孔４６を形成している。
【００３５】
上側フレーム５０と下側フレーム５１の室内側面には、連通孔４６の室内側の開口となる通気口４６ａが形成されたプレート５２が固定されている。プレート５２は、上側部材４０及び下側部材４１にねじ止め固定したアングル部材５４に対して取付ねじ５６を用いて固定されている。プレート５２と、上側フレーム５０及び下側フレーム５１の室内側面との間にはシール材５８が配設され、これにより室内側の通気口４６ａの周縁部が止水されている。取付ねじ５６を取り外してプレート５２を取り外すことで、容易に換気ユニット１０にアクセスでき、メンテナンス等を行うことができる。
【００３６】
上側フレーム５０と下側フレーム５１の室外側面には、連通孔４６の室外側の開口となる通気口４６ｂが形成された枠状の口金部材６０が連結されている。口金部材６０と、上側フレーム５０及び下側フレーム５１の室外側面との間にはシール材６２が配設され、これにより室外側の通気口４６ｂの周縁部が止水されている。口金部材６０の室外側には左右方向に延在するルーバー６３が上下に複数枚設置されている（図１も参照）。ルーバー６３は連通孔４６の連通口４６ｂに雨水等が浸入することを防ぐ庇部材である。
【００３７】
連通孔４６は、通気口４６ａがカーテンウォール１１の室内側（居住空間１２ｂ）に対して開口し、通気口４６ｂがカーテンウォール１１の室外側に対して開口し、これによりカーテンウォール１１の室内外で空気を流通可能に連通させる空気流通経路である。連通孔４６は、室外側の通気口４６ｂから室内側の通気口４６ａに向かう方向で、大きな断面積を持って水平に延在した後、下側フレーム５１の立ち上り部５１ａによって鉛直上方に屈曲されると共に断面積が縮小されて水平に延在するクランク形状を成している。連通孔４６は、このようなクランク形状で構成されることで通気口４６ｂから浸入した雨水等が室内側へと浸入することを防いでいる。
【００３８】
定風量フラップ４８は、連通孔４６の室内外の風圧差や風量差に応じた揺動位置に移動することで連通孔４６の開口量を制御し、これにより通過する空気の風量を一定に保持するものである。図示しない手動操作機構や電動操作機構の操作により、定風量フラップ４８を図３中に２点鎖線で示す閉塞位置に設定することで連通孔４６を完全に閉塞することもできる。換気ユニット１０は、このような定風量フラップ４８を備えた定風量の自然換気装置以外、例えば定風量フラップ４８を省略した構成の自然換気装置でもよい。
【００３９】
このような換気ユニット１０では、連通孔４６の室内側の通気口４６ａをブラインド３６の上端部を収納支持する収納ボックス３８内に開口させている。
【００４０】
図３に示すように、収納ボックス３８は、天井板２２の室外側端部と中間横材１４ｅの上側部材４０の室内側面との間に亘って連結された断面略Ｌ字形状のカバー部材６４と、換気ユニット１０のプレート５２とで形成された下向き凹形状のボックスである。
【００４１】
カバー部材６４は、天井板２２とカーテンウォール１１との間の隙間を塞ぐことで、天井板２２と共に境界部分１２ａと居住空間１２ｂとの間を仕切る天井部材として機能する。収納ボックス３８の天面、つまりカバー部材６４の天面６４ａには、ブラインド３６の上端部を支持するヘッドボックス（支持部）３６ａが連結部品６６を介して取り付けられている。
【００４２】
ブラインド３６は左右の縦枠１４ｃ，１４ｄ間に亘って延在しており、各スラット３６ｂを最大限に送り出した状態でビジョン部１１ｂを構成する複層パネル２８の略全面を遮蔽可能な外形を有する。このため、ヘッドボックス３６ａも左右の縦枠１４ｃ，１４ｄ間に亘って延在している。
【００４３】
図４に示すように、連結部品６６は、ヘッドボックス３６ａの長手寸法よりも十分に短い長手寸法を持った部品であり、ヘッドボックス３６ａの長手方向に任意の間隔で複数個が取り付けられる。これにより、ヘッドボックス３６ａやスラット３６ｂで仕切られたブラインド３６の上端部付近の室内側と室外側との間は、各連結部品６６間の隙間を介して空気を流通可能に連通される。
【００４４】
上記の通り、このような収納ボックス３８はその室外側面が換気ユニット１０のプレート５２で構成されており、つまり収納ボックス３８の室外側壁面に連通孔４６の通気口４６ａが開口形成されている。
【００４５】
この場合、本実施形態に係るカーテンウォール１１では、ビジョン部１１ｂの上側の横材となる中間横材１４ｅの室内側面に複層パネル２８と対向する居住空間１２ｂの天井を形成する天井部材となる収納ボックス３８のカバー部材６４が連結されると共に、該カバー部材６４には複層パネル２８より室内側に配置される遮蔽手段であるブラインド３６の上端部を支持するヘッドボックス３６ａが取り付けられている。そして換気ユニット１０は、中間横材１４ｅにカーテンウォール１１の室内外で空気を流通可能に連通させる連通孔４６が設けられると共に、該連通孔４６の室内側の通気口４６ａをヘッドボックス３６ａの室外側となる位置に連通させている。
【００４６】
従って、日射の影響等によってカーテンウォール１１の窓際となる複層パネル２８の室内側近傍の室温が上昇し、複層パネル２８やブラインド３６に沿った上昇気流である空気Ａ１（図２及び図３参照）が発生した場合であっても、この空気Ａ１はブラインド３６のヘッドボックス３６ａの室外側となる位置に連通している連通口４６ａからカーテンウォール１１の室外側へと円滑に排気される。これにより、換気ユニット１０ではカーテンウォール１１で仕切られた室内空間の室温が上昇した場合でも十分な換気能力を確保することが可能となる。また、ブラインド３６のヘッドボックス３６ａの室外側となる位置に連通孔４６の通気口４６ａを連通させているため、ブラインド３６のスラット３６ｂが最大限に送り出され、複層パネル２８の室内側がブラインド３６によって完全に遮蔽されている状態であっても、複層パネル２８とブラインド３６との間の空間やブラインド３６自体に日射が当たることよって生じる熱気である空気Ａ１を通気口４６ａから室外へと円滑に排気することができる。しかも、窓際での空気Ａ１の連通孔４６からの流出に伴う誘引作用により、居住空間１２ｂ内の天井板２２付近に滞留した熱気である空気Ａ２（図２及び図３参照）も連通口４６ａから室外へと排気する効果が期待できる。
【００４７】
当該換気ユニット１０では、換気ユニット１０の連通孔４６の室内側の通気口４６ａをブラインド３６の収納ボックス３８内に連通させている。このため、収納ボックス３８内に流入した空気Ａ１を室外へと円滑に排気することができ、居住空間１２ｂの天井部分にある収納ボックス３８内及びその周辺部に熱気が滞留することを防止できる。なお、換気ユニット１０の連通孔４６の連通口４６ａと収納ボックス３８との間をダクト等によって連通させてもよい。
【００４８】
当該カーテンウォール１１では、ヘッドボックス３６ａがブラインド３６の室内側と室外側との間で空気を流通可能に連通させる連結手段を構成する連結部品６６を介して天井部材である収納ボックス３８の天面６４ａに取り付けられている。これにより、居住空間１２ｂ内の天井板２２付近に滞留した熱気である空気Ａ２（図２及び図３参照）は、天井板２２からカバー部材６４に沿って流通し、各連結部品６６間から天面６４ａに沿って流通し、通気口４６ａからカーテンウォール１１の室外側へと円滑に排気されることになる。なお、本実施形態ではヘッドボックス３６ａを天面６４ａに取り付ける連結手段として、複数の連結部品６６を用い、各連結部品６６間の隙間を利用する構成を例示したが、連結部品６６自体に室内外方向の連通孔が形成されてもよい。
【００４９】
このような換気ユニット１０では、空気Ａ１，Ａ２の室外への排気と合わせて外気である空気Ａ３（図３参照）の取り込みも行うことができ、高い換気性能が得られる。なお、図２及び図３中で空気の流れを例示した矢印Ａ１〜Ａ３は、当該換気ユニット１０及びカーテンウォール１１での空気の流れを模式的に示したものであり、当該換気ユニット１０及びカーテンウォール１１での空気の流れはこれに限定されるものではないことは勿論である。
【００５０】
図３に示すように、本実施形態に係る換気ユニット１０は、中間横材１４ｅの見込み方向幅の範囲内に収められると共に、この中間横材１４ｅと一体に構成されている。このため、工場等でのカーテンウォール１１のユニットの組立作業と合わせて換気ユニット１０の組付作業も行うことができ、建物１２の施工現場ではカーテンウォール１１を設置するだけで換気ユニット１０も同時に設置することができる。従って、従来構成の換気ユニットのように、カーテンウォールの設置工事後に、空調業者等による換気ユニットやそのダクトの設置工事を行う必要がなく、コストや作業効率が向上する。
【００５１】
なお、本発明は、上記した実施形態に限定されるものではなく、本発明の主旨を逸脱しない範囲で自由に変更できることは勿論である。
【００５２】
上記実施形態では、ブラインド３６のヘッドボックス３６ａを、居住空間１２ｂの天井を形成する天井部材としてのカバー部材６４の天面６４ａに取り付けた構成を例示したが、収納ボックス３８を設けない構成とした場合は、天井部材としての天井板２２の天面（下面）に対してヘッドボックス３６ａを取り付ければよい。
【００５３】
上記実施形態では、上下の横材として中間横材１４ｅと下横材１４ｂとを備え、このうち上側の横材となる中間横材１４ｅに換気ユニット１０を一体に設置した構成を例示したが、例えば無目材である中間横材１４ｅを持たず、上下の横材として上横材１４ａと下横材１４ｂとの間にパネル体を設置した構成等の場合は、上横材１４ａに換気ユニット１０を設ければよい。
【００５４】
上記実施形態では、遮蔽手段としてブラインド３６を例示したが、遮蔽手段はカーテンやロールスクリーン等でもよい。
【符号の説明】
【００５５】
１０  換気ユニット、１１  カーテンウォール、１１ａ  スパンドレル部、１１ｂ  ビジョン部、１２  建物、１２ａ  境界部分、１２ｂ  居住空間、１４  枠体、１４ａ  上横材、１４ｂ  下横材、１４ｃ，１４ｄ  縦材、１４ｅ  中間横材、１６  躯体、２０  床、２２  天井板、２６  室内側パネル、２７  室外側パネル、２８  複層パネル、２８ａ  室内側ガラス、２８ｂ  室外側ガラス、３６  ブラインド、３６ａ  ヘッドボックス、３６ｂ  スラット、３８  収納ボックス、４０  上側部材、４１  下側部材、４４  フレーム、４６  連通孔、４６ａ，４６ｂ  通気口、４８  定風量フラップ、５０  上側フレーム、５１  下側フレーム、６３  ルーバー、６４  カバー部材、６４ａ  天面、６６  連結部品
【図１】
0006636763.tif 000002
【図２】
0006636763.tif 000003
【図３】
0006636763.tif 000004
【図４】
0006636763.tif 000005